(57)【要約】【課題】録画予約設定に必要な情報の手入力が不要であり、番組関連情報を視聴しながら容易に番組録画予約設定を行うことができる可搬性記録媒体、及び映像記録再生装置を提供する。【解決手段】番組録画予約用の記録媒体は、番組に関連する符号化圧縮された映像情報と、番組の予約設定を行うための予約設定コマンドと、少なくとも録画予約開始日時を含む番組属性情報を保持する。映像記録再生装置においては、記録媒体の符号化圧縮された映像情報に基づく予告映像を見ながら、録画予約を行うように視聴者が選択すると、記録媒体中の予約設定コマンドに基づいて番組属性情報を取得し、録画予約設定を行う。【選択図】        図４
2005027146.tif 000002
【特許請求の範囲】
【請求項１】
放送される番組に関連した符号化圧縮映像情報及び／又は符号化圧縮音声情報と、
当該番組の録画及び／又は録音の予約設定を行うための予約設定コマンドと、
当該番組における少なくとも放送開始時間を含む番組属性情報とを保持することを特徴とする可搬性記録媒体。
【請求項２】
更に、前記番組の録画及び／又は録音の予約設定を行うか否かの選択を行うための予約設定用映像情報を保持し、
前記予約設定コマンドは、前記予約設定用映像情報に対して録画及び／又は録音の予約を行うと選択された場合に、当該番組の録画及び／又は録音の予約設定を行うものであることを特徴とする請求項１記載の可搬性記録媒体。
【請求項３】
前記予約設定コマンド及び前記番組属性情報は、フレーム内でデータ圧縮されたＩピクチャと、時間的に前方向のＩピクチャによる動き補償を加えてデータ圧縮されたＰピクチャと、時間的に前後方向のＩピクチャまたはＰピクチャによる動き補償を加えてデータ圧縮されたＢピクチャとから構成される映像単位ごとにその先頭に位置する、当該映像単位の再生制御情報内に保持されることを特徴とする請求項１又は２記載の可搬性記録媒体。
【請求項４】
更に、前記番組属性情報を識別するための識別番号を保持し、
前記予約設定コマンド及び前記識別番号は、フレーム内でデータ圧縮されたＩピクチャと、時間的に前方向のＩピクチャによる動き補償を加えてデータ圧縮されたＰピクチャと、時間的に前後方向のＩピクチャまたはＰピクチャによる動き補償を加えてデータ圧縮されたＢピクチャとから構成される映像単位ごとにその先頭に位置する、当該映像単位の再生制御情報内に保持されることを特徴とする請求項１又は２記載の可搬性記録媒体。
【請求項５】
前記予約設定コマンド及び前記番組属性情報は、可搬性記録媒体にまとめて配置された管理領域内であって、前記番組終了後に参照されるコマンドテーブルに保持されることを特徴とする請求項１記載の可搬性記録媒体。
【請求項６】
更に、前記番組属性情報を識別するための識別番号を保持し、
前記予約設定コマンド及び前記識別番号は、可搬性記録媒体にまとめて配置された管理領域内であって、前記番組終了後に参照されるコマンドテーブルに保持されることを特徴とする請求項１記載の可搬性記録媒体。
【請求項７】
前記予約設定コマンド及び前記番組属性情報を有するか否かを示す識別子を保持していることを特徴とする請求項１乃至６のいずれか１項記載の可搬性記録媒体。
【請求項８】
前記可搬性記録媒体が、再生専用領域及び記録可能領域からなり、
前記符号化圧縮映像情報及び／又は符号化圧縮音声情報、前記予約設定コマンド、並びに前記番組属性情報が、前記再生専用領域に保持され、
前記記録可能領域は前記番組の録画及び／又は録音可能な領域であることを特徴とする請求項１乃至７のいずれか１項記載の可搬性記録媒体。
【請求項９】
前記可搬性記録媒体が、第１の記録面及び第２の記録面からなる片面２層式の記録媒体であって、
前記再生専用領域が前記第１の記録面に保持され、前記記録可能領域が前記第２の記録面に保持されることを特徴とする請求項８記載の可搬性記録媒体。
【請求項１０】
請求項１乃至９のいずれか１項記載の可搬性記録媒体の再生を行う映像記録再生装置であって、
前記可搬性記録媒体の前記予約設定コマンドを取得する手段と、
前記予約設定コマンドに従って前記番組属性情報を取得し、当該番組属性情報に基づいて録画及び／又は録音の予約設定を行う手段とを保持することを特徴とする映像記録再生装置。
【請求項１１】
請求項５又は６記載の可搬性記録媒体の再生を行う映像記録再生装置であって、
前記番組終了後にコマンドテーブルを参照して、前記予約設定コマンドを取得する手段と、
前記番組の録画及び／又は録音の予約を行うと選択された場合に、前記予約設定コマンドに従って、前記番組属性情報に基づいた録画及び／又は録音の予約設定を行う手段とを保持することを特徴とする映像記録再生装置。
【請求項１２】
請求項４又は６記載の可搬性記録媒体の再生を行う映像記録再生装置であって、
前記可搬性記録媒体の前記予約設定コマンドを取得する手段と、
前記予約設定コマンドに従って、前記識別番号に対応した番組属性情報を取得を取得し、当該番組属性情報に基づいた録画及び／又は録音の予約設定を行う手段とを保持することを特徴とする映像記録再生装置。
【請求項１３】
請求項７記載の可搬性記録媒体の再生を行う映像記録再生装置であって、
当該可搬性記録媒体に保持されている前記識別子により、前記予約設定コマンドに基づく録画及び／又は録音の予約設定の実行可否を判定する手段と、
前記実行可否の判定結果に基づいて、前記可搬性記録媒体の前記予約設定コマンドを取得する手段と、
前記予約設定コマンドに従って前記番組属性情報を取得し、当該番組属性情報に基づいた録画及び／又は録音の予約設定を行う手段とを保持することを特徴とする映像記録再生装置。
【請求項１４】
請求項８又は９記載の可搬性記録媒体の再生を行う映像記録再生装置であって、
前記可搬性記録媒体の前記予約設定コマンドを取得する手段と、
前記予約設定コマンドに従って前記番組属性情報を取得し、前記番組属性情報に基づいて前記記録可能領域に対する録画及び／又は録音の予約設定を行う手段を保持することを特徴とする映像記録再生装置。
【請求項１５】
請求項１乃至９のいずれか１項記載の可搬性記録媒体の再生を行う映像再生装置であって、
前記可搬性記録媒体の前記予約設定コマンドを取得する手段と、
前記予約設定コマンドに従って前記番組属性情報を取得する手段と、
当該番組属性情報を送信する送信手段とを保持することを特徴とする映像再生装置。
【請求項１６】
請求項１５記載の映像再生装置の前記送信手段から送信された前記番組属性情報を受信する手段と、
受信した当該番組属性情報に基づいて録画及び／又は録音の予約設定を行う手段と、
設定された前記録画及び／又は録音予約に基づいて、前記番組を記録する記録手段とを保持することを特徴とする映像記録装置。
【請求項１７】
請求項１乃至９のいずれか１項記載の可搬性記録媒体の再生を行う映像記録再生装置であって、
前記可搬性記録媒体の再生を行う再生手段と、
前記可搬性記録媒体の前記予約設定コマンドを取得する手段と、
前記予約設定コマンドに従って前記番組属性情報を取得し、当該番組属性情報に基づいて録画及び／又は録音の予約設定を行う手段と、
設定された前記録画及び／又は録音予約に基づいて、前記番組を記録する記録手段とを保持し、
前記再生手段と前記記録手段とは、１つの記録再生手段として構成されるか、又は、それぞれ別個の手段として構成されることを特徴とする映像記録再生装置。
【発明の詳細な説明】
【０００１】
【発明の属する技術分野】
この発明は、テレビジョン放送やラジオ放送等を受信して本放送を録画予約、又は録音予約する場合に最適な録画又は録音予約用記録媒体、並びに当該記録媒体の再生／記録を行う映像記録再生装置、映像再生装置、及び映像記録装置に関するものである。
【０００２】
【従来の技術】
従来より広く用いられている録画予約方式としては、新聞、雑誌等のテレビ欄に表示されているＧコードと呼ばれる数字コードを入力する方法がある（例えば、非特許文献１参照）。
【０００３】
また、テレビ局からのテレビ番組情報を受信して記憶しておき、そのテレビ番組情報を使用して操作者が入力する番組名称をテレビチャンネル、放送開始日時、放送終了日時の情報に変換し、予約録画の待機及び録画を行う録画予約方式もある（例えば、特許文献１参照）。
【０００４】
更に、放送番組の映像情報とその録画予約情報をＤＶＤ媒体で提供する手段と、映像レコーダでＤＶＤ媒体から情報を読み出す手段と、再生しながらリモコンで録画予約する手段とを設けた映像レコーダも提案されている（例えば、特許文献２参照）。
【０００５】
【非特許文献１】
東芝ＨＤＤ＆ＤＶＤビデオレコーダ「ＲＤ−Ｘ１」取扱説明書、株式会社  東芝、２００１年、ｐ．７０−７２「Ｇコード予約」
【特許文献１】
特開平５−５４４６５号公報（第１−３頁、第１図）
【特許文献２】
特開平１０−０６９７５６号公報（第１−６頁、第１−５図）
【０００６】
【発明が解決しようとする課題】
上述のＧコードによる録画予約方式では、録画予約に必要な情報である予約日、チャンネル、番組開始時間、番組終了時間などの番組属性情報を手入力する必要はないが、新聞、雑誌等のテレビ欄に表示されているＧコードを手動にて入力する必要はあるため、煩雑で、入力ミスの発生が避けられなかった。また、機種によって操作方法が異なるため、使い慣れていない機種の操作が困難であるという問題もあった。
【０００７】
上述のテレビ局からのテレビ番組情報を受信して記憶しておき、そのテレビ番組情報を使用して操作者が番組名称を入力して番組属性情報に変換する方法では、操作者が新聞、雑誌等を見ながら番組名称を正確に入力する必要があるため、依然として、煩わしく手間もかかるという問題点があった。更に、番組名称が長い場合、操作者が一度に記憶することは難しく、入力情報確認のために手元の新聞、雑誌等を見直す必要があった。
また、これら２つの方法では、新聞、雑誌等が手元にない場合は録画予約設定自体が行えず、大変不便なものであった。更に、手元の新聞、雑誌等からの文字情報のみを頼りに番組選択することになるため、番組内容を十分把握して番組を予約することができないという問題点もあった。
【０００８】
更に、上述した、放送番組の映像情報とその録画予約情報をＤＶＤ媒体で提供することによる録画予約方法では、放送番組を視聴しながらリモコンによる選択決定のみで録画予約設定を行うことができるが、視聴者はどのタイミングで録画予約設定を行えばよいか不明である上に、録画予約設定の確実性という点では劣る場合があった。また、本フォーマットは独自フォーマットで記録されているため、新たなフォーマットによるＤＶＤ媒体の開発も必要であった。
【０００９】
この発明は、上述のような課題を解消するためになされたもので、番組の録画予約に必要な番組属性情報の手入力が不要で、簡単かつ確実に録画予約設定することができ、更に、現行の映像記録再生装置による高い再生互換性を担保できる可搬性記録媒体、並びに当該記録媒体の再生を行う映像記録再生装置、映像再生装置及び映像記録装置を提供する。
【００１０】
【課題を解決するための手段】
本発明の可搬性記録媒体は、放送される番組に関連した符号化圧縮映像情報及び／又は符号化圧縮音声情報と、当該番組の録画及び／又は録音の予約設定を行うための予約設定コマンドと、当該番組における少なくとも放送開始時間を含む番組属性情報とを保持するものである。
【００１１】
【発明の実施の形態】
実施の形態１
図１は、光ディスクの外観と内部ファイルデータ構造とを示すものである。同図中、光ディスク１００の内部ファイルデータ構造は、ビデオデータ領域１５１０とコンピュータデータ領域１５１１とを有する。ただし、これらは混在記録も可能であり、各領域は任意の記録サイズをとることができる。コンピュータデータ領域１５１１は、パーソナルコンピュータ等で扱われるコンピュータデータが記録されている。ビデオデータ領域１５１０は管理情報１５２０とパック情報１５２１とから構成されている。
【００１２】
管理情報１５２０は、光ディスク１００の内周側等にまとめて配置されており、光ディスク１００全体を管理する情報テーブルからなり、映像データ再生前後で実行するコマンドや映像データの再生順序などで構築されている。パック情報１５２１はナビゲーション情報１５３０と映像情報１５３１とから構成されている。ナビゲーション情報１５３０は、映像データを再生する際に使用される制御情報であり、再生映像データ表示中に重畳されるボタンの選択決定時に実行するコマンドや映像の同期情報などで構築されている。映像情報１５３１は符号化圧縮された映像データ本体である。ナビゲーション情報１５３０は、パック情報１５２１中に分散して存在しており、映像単位ごとにそれぞれの先頭に位置している。この映像単位は、ＭＰＥＧ−２規格に規定されているＧＯＰ（Ｇｒｏｕｐ  ｏｆ  Ｐｉｃｔｕｒｅ）からなり、フレーム内でデータ圧縮されたＩピクチャと、時間的に前方向のＩピクチャによる動き補償を加えてデータ圧縮されたＰピクチャと、時間的に前後方向のＩピクチャまたはＰピクチャによる動き補償を加えてデータ圧縮されたＢピクチャから構成されて、例えば約０．５秒の再生時間ごとに区切られている。映像情報１５３１は、映像単位ごとにナビゲーション情報１５３０によって再生制御されるとともに、番組毎に上記映像単位が複数集まったプログラムチェーンという単位でも管理されている。このプログラムチェーンという単位は、管理情報１５２０によって再生制御されており、光ディスク１００の中には複数のプログラムチェーンを記録することができる。
【００１３】
ナビゲーション情報１５３０には、視聴者が画面上で各種の選択や設定を行うことができるボタン情報を含む。本実施の形態１では、録画予約に関するボタン情報を含む。
図２に、実施の形態１における光ディスク１００を再生したときに示される画面表示の一例を示す。録画予約ボタン２０１は、放送される番組に関連した符号化圧縮映像情報に基づいて画面表示される映像表示情報２００に重畳される、当該番組の録画予約設定するか否かの選択を行うためのボタンである。
【００１４】
録画予約ボタン２０１は、映像情報１５３１中に含まれる文字情報（サブピクチャ）を、ナビゲーション情報１５３０中のボタン情報、例えばボタンの位置情報、表示開始時間情報、表示終了時間情報、ボタンの色情報等、に基づいて表示させたものである。録画予約ボタン２０１を表示するために使用される、これらの文字情報（サブピクチャ）とボタン情報とが本発明の予約設定用映像情報を構成する。
【００１５】
図３は、実施の形態１におけるボタン情報に関するデータ構造を示すものである。当該ボタン情報には、ボタン毎の位置情報、隣接ボタン情報、及びボタン選択設定時に実行するコマンドデータ（以下ボタンコマンドと称する）が含まれている。なお、コマンドデータは、再生動作を制御するための命令を格納しておくことができるが、映像記録再生装置の中で従来視聴者がキーやリモコンによって直接操作していた機能を制御するものとして用いた点が本発明の特徴である。
【００１６】
ボタン情報に関するデータは、ナビゲーション情報１５３０内のハイライト情報３００に配置されており、ハイライト情報３００はハイライト一般情報３０１、ボタンカラー情報テーブル３０２、ボタン情報テーブル３０３から構成される。ハイライト一般情報３０１はハイライトに関する一般的な情報を持ち、ボタンカラー情報テーブル３０２は選択色情報と決定色情報を決定する情報を持つ。ボタン情報テーブル３０３は１つ以上のボタン情報３１１、３１２で構成されており、各ボタンにおけるボタン位置情報３２１、隣接ボタン位置情報３２２、ボタンコマンド３２３で構築されている。ボタン位置情報３２１はボタン自体の表示座標と大きさを示し、隣接ボタン位置情報３２２はハイライトの移動先のボタン番号を示す隣接ボタン位置情報、ボタンコマンド３２３はボタンの選択決定時の映像再生装置の挙動を定義したコマンド情報が格納されている。
【００１７】
ボタンコマンド３２３はコマンド種別３３１とコマンド引数３３２で構成されている。コマンド種別３３１は基本的な命令の種類を示し、コマンド引数３３２はコマンド種別３３１の修飾子として扱われる。本実施の形態では、当該ボタンコマンド３２３のコマンド種別３３１に、番組の録画予約設定を行うための「予約設定コマンド」、コマンド引数３３２には、当該番組における少なくとも放送開始時間を含む「番組属性情報」を保持している。
【００１８】
図３では、コマンドのビット長を６４ビットと想定した場合のコード実装例を示している。コマンド種別３３１として、第６３ビット目から第６０ビット目の領域に対して“１１１１”の４ｂｉｔを割り当てられていれば、「予約設定コマンド」として取り扱うこととする。
【００１９】
コマンド引数３３２には、「チャンネル」「記録開始年月日」「記録開始時間」「記録継続時間」など録画予約設定に必要な「番組属性情報」が、ＢＣＤ単位などで示されている。なおこのビット割り当て例としては、第５９ビット目から第４８ビット目までは記録継続時間を分単位で表しており、百の位と十の位と一の位が示されている。また第４７ビット目から第４０ビット目まではチャンネルを表しており、十の位と一の位を示している。また第３９ビット目から第３２ビット目までは記録開始する西暦の下２桁を表しており、十の位と一の位を示している。また第３１ビット目から第２４ビット目までは記録開始月を表しており、十の位と一の位を示している。また第２３ビット目から第１６ビット目までは記録開始日の十の位と一の位を示している。また第１５ビット目から第８ビット目までは記録開始時の十の位と一の位を示している。また第７ビット目から第０ビット目までは記録開始分の十の位と一の位を示している。
なお、番組属性情報として、記録継続時間の代わりに、又は追加情報として、記録終了時間を配置してもよい。
【００２０】
図４は、実施の形態１の映像記録再生装置の全体構成を示すブロック図である。システム制御部１１０は、映像記録再生装置全体を統合制御している。ＤＶＤ記録再生ドライブ部１１１は光ディスク１００から信号の読みとり又は書き込みを行う。操作部１２１はシステム制御部１１０に対して視聴者がリモコンキーや本体キーにより入力を行う部分である。時計部１２２はシステム制御部１１０に対して時間情報を提供する部分である。ＴＶチューナ１３０は受信したテレビジョン放送から選局されたアナログ映像信号を生成し映像記録処理部１３１へ供給する。映像記録処理部１３１はＴＶチューナ１３０から出力されたアナログ映像信号に対してＭＰＥＧ符号化圧縮を行い記録再生インターフェース部１３２へ供給する。その後、記録再生インターフェース部１３２はＤＶＤ記録再生ドライブ部１１１に対して、変調・復調及びエラー訂正などを施した信号の書き込みや読み込みを行う。映像再生処理部１３３は、記録再生インターフェース部１３２から出力した信号から再生制御情報とＭＰＥＧ符号化圧縮された映像情報に分離する。分離された再生制御情報は、映像再生処理部１３３内の再生制御情報取得部１３４に格納される。また分離された映像情報は映像再生処理部１３３にて符号化伸張しアナログ映像信号を生成し、映像表示部１３５に出力する。
【００２１】
システム制御部１１０は、予約情報記録部１３６と予約コマンド解析部１３７とを備えている。光ディスク１００の再生において、図２に示した録画予約ボタン２０１が表示され、これに対して録画予約設定すると選択した場合、予約コマンド解析部１３７は、再生制御情報取得部１３４内に保持されているナビゲーション情報１５３０内の予約設定コマンドに従って、このナビゲーション情報１５３０内の番組属性情報を取得する。更に、予約コマンド解析部１３７では、取得した番組属性情報を予約情報記録部１３６で規定されたデータ形式に変換した上で、予約情報記録部１３６に供給し、予約情報記録部１３６では番組属性情報が記録される。
【００２２】
図５は、本実施の形態１における録画予約設定のフローチャートを示す。光ディスク１００をＤＶＤ記録再生ドライブ部１１１に挿入（Ｓ４０１）すると、システム制御部１１０の要求に基づき光ディスク１００内の管理情報１５２０を再生制御情報取得部１３４に蓄積する。当該管理情報１５２０は光ディスク１００内のビデオデータ領域１５１０に記録されている映像情報１５３１を再生するために必要な情報であり、システム制御部１１０からいつでもアクセスできるデータとして保持する。
【００２３】
映像表示部１３５に視聴する映像の選択画面（メニュ画面）が表示されると、視聴者は操作部１２１を通じて、当該光ディスク１００内に収録されている番組群から、視聴したい番組に関連した映像（プログラムチェーン）を選択（Ｓ４０２）する。システム制御部１１０は再生制御情報取得部１３４に蓄積されている管理情報１５２０から選択されたプログラムチェーンの再生情報を取得し、当該再生情報に従い光ディスク１００内から該当するプログラムチェーンのパック情報１５２１を映像再生処理部１３３に供給するよう指令する。映像再生処理部１３３では供給されたパック情報１５２１からナビゲーション情報１５３０と符号化圧縮された映像情報１５３１に分離する。ナビゲーション情報１５３０もシステム制御部１１０からいつでもアクセスできるデータとして扱われるが、所定の時間でデータ更新される。映像情報１５３１は符号化伸張を行った後、映像表示部１３５でアナログ映像信号として映像の再生を行う。
【００２４】
更にシステム制御部１１０は、再生制御情報取得部１３４から再生映像に同期した情報であるナビゲーション情報１５３０の取得を行う。ナビゲーション情報１５３０内のハイライト情報３００には映像に同期したボタン情報も含まれており、映像表示部１３５には、図２のように、放送される番組に関連した映像表示情報２００に、当該番組の録画予約設定するか否かの選択を行うための録画予約ボタン２０１を重畳して映像再生を行う（Ｓ４０３）。
【００２５】
当該録画予約ボタン２０１は操作部１２１から選択決定（Ｓ４０４）することが可能であり、視聴者は図２の映像表示情報２００を視聴中に当該映像が自分の視聴したい番組であり録画予約設定を行いたい場合、操作部１２１にて録画予約ボタン２０１の選択決定を行う。また視聴者は当該映像が自分の視聴したくない番組であった場合は映像が終了するまで録画予約ボタン２０１の選択決定を行わなければ良い（Ｓ４０５）。
【００２６】
録画予約ボタン２０１に対して録画予約設定すると選択した場合、システム制御部１１０は再生制御情報取得部１３４に保持されているハイライト情報３００を参照し、当該録画予約ボタン２０１に設定されているボタンコマンド３２３の情報を取得する。次にシステム制御部１１０は当該ボタンコマンド３２３のコマンド種別３３１に「予約設定コマンド」を特定するビット列がアサインされていれば、録画予約設定のボタンコマンド３２３と判定する（Ｓ４０６）。その後、予約コマンド解析部１３７では、当該ボタンコマンド３２３のコマンド引数３３２から番組属性情報を取得（Ｓ４０７）し、予約情報記録部１３６が認識できる録画予約情報に変換した後に当該予約情報記録部１３６へ当該録画予約情報を転送する。予約情報記録部１３６は、取得した録画予約情報を設定することにより、映像記録再生装置の録画予約設定を行う（Ｓ４０８）。なお録画予約設定時に録画予約情報が重複した場合や予約開始時間が現在時刻より過去だった場合には、システム制御部１１０は録画予約設定を正常に行えない旨を視聴者に通知する。
【００２７】
ここで当該光ディスク１００が録画可能であった場合は、同光ディスクへの番組記録が可能であるが、再生専用ディスクであったり、記録可能であっても記憶容量が不足していた場合は、システム制御部１１０は視聴者に対してディスク交換を要求する。視聴者は記録可能な光ディスクへ交換を行い、番組記録待機状態となる。
【００２８】
もし録画予約ボタン２０１のボタンコマンド３２３が上記の「予約設定コマンド」がアサインされていなかった場合、映像記録再生装置ではその他の方式で定義されたコマンド体系に基づく処理、例えば、ボタン押下時に異なる番組に遷移させたり、システム独自のパラメータ設定の変更を行う（Ｓ４０９）。
【００２９】
なお、録画予約設定を行う際に、記録画質を決定する記録レートを設定するユーザインターフェースを提供しても良い。その場合、映像記録再生装置が録画予約情報を取得すると、映像記録再生装置は記録レートの選択を促す画面を表示する。視聴者は操作部１２１から記録レートを選択することにより、任意の記録レートで録画予約設定を行うことができる。
【００３０】
録画予約設定が行われ（Ｓ４０８）て番組記録待機状態となった後は、システム制御部１１０は時計部１２２から提供される現在時刻情報と予約情報記録部１３６内に保持されている「予約日」「記録開始時間」と随時比較を行い、現在時刻情報が録画予約情報の「記録開始時間」に達すると当該録画予約情報の「チャンネル」情報に基づきＴＶチューナ１３０を指定チャンネルに選局し、アナログ映像信号として映像記録処理部１３１へ供給する。次に映像記録処理部１３１では、システム制御部１１０からの制御信号に基づいてＭＰＥＧ符号化圧縮を行い、制御データを付加した形式で記録再生インターフェース部１３２に出力する。記録再生インターフェース部１３２では、システム制御部１１０からの制御信号に基づいて当該出力信号を光ディスク１００又は記録可能な光ディスクに記録するためにフォーマット変換を行い、所定の間隔でＤＶＤ記録再生ドライブ部１１１にデータ出力する。ＤＶＤ記録再生ドライブ部１１１では当該出力信号を逐次光ディスク１００又は記録可能な光ディスクに書き込むことで、テレビジョン方法の録画開始を行う。録画予約設定が正常に開始されると、次にシステム制御部１１０は、現在時刻と予約情報記録部１３６に保持されている「記録継続時間」とを随時比較し、録画予約情報の「記録継続時間」に達すると、映像記録処理部１３１、記録再生インターフェース部１３２及びＤＶＤ記録再生ドライブ部１１１に対して録画動作を停止するよう指令することで、番組の録画動作を終了する。
【００３１】
図６は、この光ディスク１００を用いた販売システムの構成を示す概略図である。光ディスク１００は、放送される番組情報が紹介されている雑誌、番組本等の付録として、視聴者が定期的に購入する。又は、光ディスク１００単独で販売される形態であってもよい。光ディスク１００には、上述したように、番組に関連する予告映像情報又は番組紹介映像と、録画予約設定を行うための番組属性情報とが含まれているが、光ディスク１００を販売するプロバイダ又は出版者は、放送局又はコンテンツメーカよりそれらの情報を入手し、光ディスク１００を製作して視聴者のために販売する。
【００３２】
実施の形態１では、コマンド引数３３２に、録画予約情報として放送開始日時等の番組属性情報を直値として設定した場合の説明を行っているが、代わりに録画予約情報としてＧコードなどの数値情報を持っても構わない。
【００３３】
また当該光ディスク１００が予約専用ディスクか汎用ディスクかを示す識別子を、光ディスク１００上のコンピュータデータ領域１５１１や管理情報１５２０に持たせても良い。これにより汎用ディスクが再生制御情報領域内に予約設定コマンドのコードと同じビット情報を持っている場合でも、本発明の予約専用の光ディスクと誤って認識され、意図しない録画予約設定が行われないように保護することができる。この場合、まず最初に、当該識別子により予約設定コマンドに基づく録画予約設定の実行可否を判定した上で、この実行可否の判定結果に基づいて、上述したような予約設定コマンド及び番組属性情報に従った録画予約設定を行う。
【００３４】
実施の形態１によれば、ユーザーは映像を視聴しながらボタン選択するといった操作だけで録画予約設定を行えるため、簡単かつわかりやすい操作体系をもった録画予約装置を提供できる。更にボタン毎に録画予約設定データを持つことが可能であるため、単画面の映像に複数の録画予約設定ボタンを配置することもできる。更に、放送番組のシーンに応じてボタン内容を更新することによって、自由度の高い録画予約設定が可能となる。
【００３５】
実施の形態２．
実施の形態１では、ナビゲーション情報１５３０に、録画予約に関する予約設定コマンドと番組属性情報とを含む場合を示したが、実施の形態２では、管理情報１５２０内に、それらの情報を含む場合を示す。
【００３６】
図７に、実施の形態２における光ディスク１００を再生したときに示される画面表示の一例を示す。録画予約設定ボタン５００は放送される番組を録画予約設定すると選択するためのボタンであり、録画予約非設定ボタン５０１は録画予約設定を行わないと選択するためのボタンである。録画予約設定ボタン５００及び録画予約非設定ボタン５０１からなる映像表示情報２００は、後述する予約設定コマンドに基づいて映像再生装置によって表示されるものである。
【００３７】
図８は、実施の形態２におけるコマンドデータ構造を示すものである。当該コマンドデータはプログラムチェーン再生後、即ち、予告番組再生後に実行されるコマンド（以下ポストコマンドと称する）を示している。なお、本実施の形態ではプログラムチェーン再生終了後に実行するコマンドであるポストコマンド６２２について述べるが、プログラムチェーン再生直前に実行されるプレコマンド６２１又はセルコマンド６２３であってもよい。ただし、プログラムチェーンを再生した後に図７に示した画面表示する方が視聴者にとって内容把握を行いやすいため、ポストコマンド６２２が好ましい。
【００３８】
ポストコマンドに関するデータは、管理情報１５２０内のプログラムチェーン情報テーブル６００に配置されている。なお、コマンドデータは、実施の形態１と同様に、再生動作を制御するための命令を格納しておくことができるが、映像記録再生装置の中で従来視聴者がキーやリモコンによって直接操作していた機能を制御するものとして用いた点が本発明の特徴である。
【００３９】
プログラムチェーン情報テーブル６００はプログラムチェーン管理情報６０１、１つ以上のプログラムチェーンサーチポインタ６０２、６０３、及び１つ以上のプログラムチェーン情報６０４、６０５から構成される。なおプログラムチェーンの総数は、光ディスクに収録されている番組数に応じて記録される。プログラムチェーン情報６０４、６０５は、プログラムチェーン一般情報６１１、プログラムチェーンコマンドテーブル６１２、セル再生情報６１３から構成される。プログラムチェーン一般情報６１１はプログラムチェーンの再生時間や再生単位数を示す情報が含まれており、セル再生情報６１３はプログラムチェーン内映像の再生順序を規定している。プログラムチェーンコマンドテーブル６１２は、プログラムチェーン再生前に実行されるコマンドであるプレコマンド６２１、プログラムチェーン再生後に実行されるコマンドであるポストコマンド６２２、プログラムチェーン内の各シーンで実行されるセルコマンド６２３が格納されており、各コマンドはコマンド種別６３１とコマンド引数６３２で構成されている。コマンド種別６３１は基本的な命令の種類を示し、コマンド引数６３２はコマンド種別６３１の修飾子として扱われる。本実施の形態では、当該ポストコマンド６２２のコマンド種別６３１に、録画予約設定すると選択した番組の録画予約設定を映像再生装置に行わせるための「予約設定コマンド」、コマンド引数６３２には当該番組における少なくとも放送開始時間を含む「番組属性情報」を保持している。
【００４０】
図８には、予約設定コマンドを持ったポストコマンド６２２のデータ構造について、コマンドのビット長を６４ビットと想定した場合のコード実装例を示しているが、コマンド種別６３１及びコマンド引数６３２については、実施の形態１に示した図３と同様である。
【００４１】
図９は、本実施の形態２における録画予約設定のフローチャートを示す。図９においてＳ７０１からＳ７０３は、実施の形態１に示した図５のＳ４０１からＳ４０３と同様である。即ち、光ディスク１００を、ＤＶＤ記録再生ドライブ部１１１（図４に示す；以下同じ）に挿入（Ｓ７０１）すると、映像表示部１３５に視聴映像選択画面が表示される。視聴者は操作部１２１を通じて、当該光ディスク１００内に収録されている番組群から、視聴したい番組に関連した映像（プログラムチェーン）を選択（Ｓ７０２）する。システム制御部１１０は再生制御情報取得部１３４に蓄積されている管理情報１５２０から選択されたプログラムチェーンの再生情報を取得し、当該再生情報に従い光ディスク１００内から該当するプログラムチェーンのパック情報１５２１を映像再生処理部１３３に供給するよう指令する。映像再生処理部１３３では供給されたパック情報１５２１からナビゲーション情報１５３０と符号化圧縮された映像情報１５３１に分離し、映像情報１５３１は符号化伸張を行いアナログ映像として映像表示部１３５に出力することでプログラムチェーンの再生（Ｓ７０３）を行う。
【００４２】
当該番組（プログラムチェーン）の映像再生を終了（Ｓ７０４）すると、システム制御部１１０は再生制御情報取得部１３４に保持されているプログラムチェーン情報テーブル６００を参照し、当該プログラムチェーンのポストコマンド６２２の情報を取得する。次にシステム制御部１１０は当該ポストコマンド６２２のコマンド種別３３１に「予約設定コマンド」を特定するビット列がアサインされていれば、録画予約設定のポストコマンド６２２と判定し（Ｓ７０５）、図７に示す録画予約設定可否の選択画面を映像表示部１３５に表示し、視聴者へ予約選択可否の選択（Ｓ７０６）を促す。
【００４３】
視聴者は当該映像が自分の視聴したい番組であり録画予約設定を行いたい場合、操作部１２１にて予約設定ボタン５００の選択決定を行う（Ｓ７０７）。また視聴者は、当該映像が自分の視聴したくない番組であった場合、予約非設定ボタン５０１の選択決定を行う（Ｓ７０７）ことで録画予約設定を終了する。
【００４４】
予約設定ボタン５００を選択決定した場合、予約コマンド解析部１３７では、当該ポストコマンド６２２のコマンド引数６３２から番組属性情報を取得（Ｓ７０８）し、予約情報記録部１３６が認識できる録画予約情報に変換した後に当該予約情報記録部１３６へ当該録画予約情報を転送する。予約情報記録部１３６は、取得した録画予約情報を設定することにより、映像記録再生装置の録画予約設定を行う（Ｓ７０９）。なお録画予約設定時に録画予約情報が重複した場合や予約開始時間が現在時刻より過去だった場合には、システム制御部１１０は録画予約設定を正常に行えない旨を視聴者に通知する。
【００４５】
ここで当該光ディスク１００が録画可能であった場合、同光ディスクへの番組記録が可能であるが、再生専用ディスクであったり、記録可能であっても記憶容量が不足していた場合は、システム制御部１１０は視聴者に対してディスク交換を要求する。視聴者は記録可能な光ディスクへ交換を行い、番組記録待機状態となる。録画予約設定が行われ（Ｓ４０８）て番組記録待機状態となった後は、実施の形態１と同様にして、番組録画が行われる。
【００４６】
もしプログラムチェーンのポストコマンド６２２自身が、上記の「予約設定コマンド」がアサインされていなかった場合、映像記録再生装置ではその他の方式で定義されたコマンド体系に基づく処理、例えば、プログラムチェーン再生終了後に異なる番組に遷移させたり、システム独自のパラメータ設定の変更を行う（Ｓ７１０）。
【００４７】
なお、録画予約設定を行う際に、記録画質を決定する記録レートを設定するユーザインターフェースを提供しても良い。その場合、映像記録再生装置が録画予約情報を取得すると、映像記録再生装置は記録レートの選択を促す画面を表示する。視聴者は操作部１２１から記録レートを選択することにより、任意の記録レートで録画予約設定を行うことができる。
【００４８】
実施の形態２では、コマンド引数６３２に、録画予約情報として放送開始日時等の番組属性情報を直値として設定した場合の説明を行っているが、代わりに録画予約情報としてＧコードなどの数値情報を持っても構わない。
【００４９】
また、実施の形態１の場合と同様に、当該光ディスク１００が予約専用ディスクか汎用ディスクかを示す識別子を、光ディスク１００上のコンピュータデータ領域１５１１や管理情報１５２０に持たせても良い。
【００５０】
また、プログラムチェーン再生終了後は、図７のような録画予約設定可否の選択を促す画面を表示させず、再生終了時に、予約設定コマンド６３１を参照して、自動的に録画予約設定を行うようにしても構わない。このように、最後まで番組関連映像を見終わったものについては自動的に録画設定を行うようにすることによって、より確実かつ簡便に設定を行うことができる。
【００５１】
実施の形態２によれば、特定プログラムチェーンの番組映像を確認した後に、録画予約設定を簡単に行うことができる。更に、映像再生中に予約設定ボタンを重畳する必要がないため、映像視聴に際して画面の視認性を高くすることができる。
【００５２】
実施の形態３．
実施の形態１及び実施の形態２では、ナビゲーション情報１５３０及び管理情報１５２０といった再生制御情報内に、予約設定コマンドとともに番組属性情報を直値として保持している場合を示したが、実施の形態３では、予約設定コマンドとは別に、例えば別ディレクトリや別の録画予約情報テーブルとして番組属性情報を記録しておき、その代わりに識別情報又はそのポインタを配置する場合について示す。なお、以下では実施の形態１に準じた形態について説明を行うが、実施の形態２に適用することも可能である。
【００５３】
図１０は、実施の形態３におけるボタンに関するデータ構造を示すものである。コマンド引数３３２には、ボタン選択を行い録画設定決定時に読み込まれる番組属性情報を一意に特定する番号である識別番号８００が設定されている。それ以外はすでに実施の形態１で説明済みのため省略する。
【００５４】
ここで録画予約設定の命令を持ったボタンコマンド３２３のデータ構造について詳細に説明する。なおここではコマンドのビット長を６４ビットと想定した場合のコード実装例を示す。コマンド種別３３１として、第６３ビット目から第６０ビット目の領域に対して“００００”の４ｂｉｔを割り当てられていれば、「予約設定コマンド（識別番号）」として取り扱うこととする。
【００５５】
コマンド引数３３２には、番組属性情報を一意で識別できる３桁の識別番号８００が割り振られている。識別番号はＢＣＤ単位等で表されており、百の位と十の位と一の位が示されている。なおビット割り当ては、第５９ビット目から第５６ビット目までは識別番号の百の位、第５５ビット目から第５２ビット目までは識別番号の十の位、第５１ビット目から第４８ビット目までは識別番号の一の位を示している。本設定によれば９９９個までの番組属性情報を持つことができる。
【００５６】
図１１は、識別番号８００で特定される番組属性情報のデータ構造の一例を示すものである。録画予約情報テーブル９００は当該識別番号８００で特定する番組属性情報を集約したものであり、コンピュータデータ領域１５１１にあるものとする。各番組属性情報９０１、９０２のそれぞれは、番組名情報９１１、予約開始時間情報９１２、予約終了時間情報９１３、チャンネル情報９１４、ジャンル情報９１５、番組内容情報９１６から構成される。上記情報は文字列として入力されているものとするが、数値で記録されていても構わない。なお記録されている情報量はディスク容量が許す限り大きなデータを入力しても構わない。
【００５７】
図１２は、本実施の形態３における録画予約設定のフローチャートを示す。録画予約ボタン２０１の選択決定による録画予約設定（Ｓ４０５）までの処理工程は実施の形態１と同じであるため省略する。
録画予約ボタン２０１が選択決定された時、システム制御部１１０は再生制御情報取得部１３４に保持されているハイライト情報３００を参照し、当該録画予約ボタン２０１に設定されているボタンコマンド３２３の情報を取得する。次にシステム制御部１１０は当該ボタンコマンド３２３のコマンド種別３３１に「予約設定コマンド（識別番号）」を特定するビット列がアサインされていれば、予約設定ボタンコマンドと判定する（Ｓ４０６）。予約コマンド解析部１３７では、コマンド引数３３２に設定されている識別番号８００を読み取り（Ｓ１０００）、コンピュータデータ領域１５１１から当該識別番号８００に対応した番組属性情報９０１を取得する（Ｓ１００１）。その後、予約コマンド解析部１３７では、予約情報記録部１３６が認識できる録画予約情報に変換した後に当該予約情報記録部１３６へ当該録画予約情報を転送する。予約情報記録部１３６は、取得した録画予約情報を設定することにより、映像記録再生装置の録画予約設定を行う（Ｓ４０８）。その他については前述した録画予約設定と同様に番組記録待機状態となる。
【００５８】
本実施の形態では、識別番号８００による録画予約データの参照先として、コンピュータデータ領域１５１１を指定して説明しているが、参照先がビデオデータ領域１５１０内の管理情報１５２０内にあっても構わない。
【００５９】
また今回は録画予約情報テーブル９００内に、予約開始時間情報や予約終了時間情報、チャンネル情報等の番組属性情報を直接指定した場合の説明を行っているが、代わりにＧコードなどの数値情報を保持しておき、当該Ｇコードを参照することで録画予約設定を行っても構わない。
【００６０】
実施の形態３によれば、コマンド領域に番組属性情報を持たせる必要がなく、コマンドスペースに影響を受けずに大きな録画予約情報を保持することができるため、より高度な録画予約設定を行うことができる。
【００６１】
実施の形態４．
実施の形態１から３では、光ディスク１００の再生を行う再生手段と、設定された録画予約に基づいて番組を記録する記録手段とが、１つの記録再生手段である記録再生ドライブ部として構成される場合について示したが、本実施の形態４ではそれぞれ別個の手段として構成される場合について示す。なお、以下は、実施の形態１について適用した場合を示すが、他の実施の形態についての適用も可能である。
【００６２】
図１３は、実施の形態４の映像記録再生装置の全体構成を示すブロック図である。大容量記録再生ドライブ部１１０１は、映像の記録再生を行うことができる第２のドライブであり、ＤＶＤ記録再生ドライブ部１１１より大容量の映像の記録が可能なドライブ部である。スイッチャ部１１０２はシステム制御部１１０の指令に基づき、記録再生インターフェース部１３２とＤＶＤ記録再生ドライブ部１１１若しくは大容量記録再生ドライブ部１１０１との接続切替えを行う。それ以外はすでに説明済みのため省略する。またここでは大容量記録再生ドライブ部１１０１としては、ハードディスク（ＨＤＤ）ドライブを想定して説明を進める。
【００６３】
実施の形態４での録画予約設定動作について説明する。ここでは、光ディスク１００を再生して番組属性情報を取得する再生部と当該番組属性情報に基づき番組を録画する記録部とは、別々のドライブ部として構成されているが、同一の記録再生装置内で接続されている。図１３においては、再生部はＤＶＤ記録再生ドライブ部１１１であり、記録部はＨＤＤドライブに代表される大容量記録再生ドライブ部１１０１である。録画予約ボタン２０１の選択決定による録画予約設定（Ｓ４０５）までの処理工程は実施の形態１と同じであるため省略する。
【００６４】
ここで録画予約ボタン２０１を選択決定した時の録画予約設定動作を詳細に説明する。録画予約ボタン２０１が選択決定された時、システム制御部１１０は再生制御情報取得部１３４に保持されているハイライト情報３００を参照し、当該録画予約ボタン２０１に設定されているボタンコマンド３２３の情報を取得する。次にシステム制御部１１０は当該ボタンコマンドのコマンド種別３３１に「予約設定コマンド」を特定するビット列がアサインされていれば、コマンド引数３３２に保持されている番組属性情報を予約情報記録部１３６に記録する。その後システム制御部１１０は視聴者に対して番組を録画する記録ドライブの選択を促す画面を表示する。視聴者はＤＶＤ記録再生ドライブ部１１１と大容量記録再生ドライブ部１１０１とのどちらかに予約番組の記録先ドライブとするかを選択する。ＤＶＤ記録再生ドライブ部１１１を選択した場合、システム制御部１１０は当該ＤＶＤ記録再生ドライブ部１１１と記録再生インターフェース部１３２とを接続するようスイッチャ部１１０２に指示する。一方、大容量記録再生ドライブ部１１０１を選択した場合、システム制御部１１０は当該大容量記録再生ドライブ部１１０１と記録再生インターフェース部１３２とを接続するようスイッチャ部１１０２に指示する。その後は前述した通常の録画予約設定動作と同じく番組記録待機状態となる。
【００６５】
番組録画を行う大容量記録再生ドライブ部１１０１としては、ＨＤＤドライブのみならずＤＶＤ記録再生ドライブ部１１１とは別の第２のＤＶＤ記録再生ドライブや、ＶＴＲ等でも構わない。さらに今回は大容量記録再生ドライブ部１１０１が単体である場合について説明を行ったが、複数の大容量記録再生ドライブ部１１０１があっても構わない。
【００６６】
実施の形態４によれば、記録対象のドライブを任意で選択できるため、光ディスク１００が読み取り専用ディスクの場合であっても、光ディスクの交換が不要であり視聴者の手間が省け自由度が高い録画予約設定を行うことができる。
【００６７】
実施の形態５
実施の形態４では、光ディスク１００を再生して番組属性情報を取得する再生部と当該番組属性情報に基づき番組を録画する記録部とが同一の映像記録再生装置内にある場合を示したが、実施の形態５では、当該再生部と記録部とが別々の映像再生装置と映像記録装置として構成され、伝送路１１０４で接続されている場合について説明する。
【００６８】
図１４は、実施の形態５における映像再生装置の構成を示すブロック図である。通信部１１０３はシステム制御部１１０からの指令に基づき、予約情報記録部１３６に保持している番組属性情報を外部機器へ送受信する。伝送路１１０４は通信部１１０３により番組属性情報を送受信するための通信経路である。ＤＶＤ再生ドライブ部１１０５は光ディスク１００から信号の読みとりを行う。再生インターフェース部１１０６は、ＤＶＤ再生ドライブ部１１０５からの信号に対して、変調・復調及びエラー訂正などを施した信号の読み込みを行う。その他は、実施の形態１の図４、実施の形態４の図１３に示したものと同様である。
【００６９】
図１５は、実施の形態５の構成を示すシステム構成の一例を示すものである。映像再生装置１２０１は、図１４に示したものであり、光ディスク１００を再生して番組属性情報を取得し、当該番組属性情報を送信する。映像記録装置１２０２は伝送路１１０４を通じて当該番組属性情報の受信を行い、当該番組属性情報に基づき録画予約設定を行う。
【００７０】
次に、実施の形態５での録画予約設定動作について説明する。録画予約ボタン２０１の選択決定による録画予約設定（Ｓ４０５）までの処理工程は実施の形態１と同じであるため省略する。
【００７１】
ここで録画予約ボタン２０１を選択決定した時の録画予約設定動作を詳細に説明する。録画予約ボタン２０１が選択決定された時、映像再生装置１２０１内のシステム制御部１１０は再生制御情報取得部１３４に保持されているハイライト情報３００を参照し、当該録画予約ボタン２０１に設定されているボタンコマンド３２３の情報を取得する。次に、システム制御部１１０は当該ボタンコマンド３２３のコマンド種別３３１に「予約設定コマンド」を特定するビット列がアサインされていれば、コマンド引数３３２に保持されている番組属性情報を予約情報記録部１３６に記録する。その後、映像再生装置１２０１内のシステム制御部１１０は、伝送路１１０４を通じて接続されている映像記録装置１２０２から録画可能ドライブ部を検出し、視聴者に対して録画する映像記録装置１２０２の選択を促す画面を表示する。視聴者は操作部１２１を通じて映像記録装置１２０２を選択した場合、映像再生装置１２０１内のシステム制御部１１０は、予約情報記録部１３６に保持されている番組属性情報を通信部１１０３に供給する。通信部１１０３は、伝送路１１０４を介して、映像記録装置１２０２の通信方式に合わせて番組属性情報を映像記録装置１２０２へ送信する。番組属性情報を受信した映像記録装置１２０２は、当該情報に基づき録画予約設定動作を行い、正常に録画予約設定動作が完了されると映像再生装置１２０１に対して予約が正常に行われた旨の返信を行う。
【００７２】
映像記録装置１２０２は、予約設定コマンドの識別を行う予約コマンド解析部１３７を備える必要がなく、録画予約設定のみ行う装置であればよいため、ＤＶＤ記録装置でなくてもＶＴＲ等でも構わない。
また、映像再生装置１２０１内で番組属性情報を予約情報記録部１３６に記録した後、当該番組属性情報を伝送路１１０４を介して送信するタイミングについては、視聴者が操作部１２１により映像記録装置１２０２を選択した後すぐに送信してもよいし、時計部１２２からの時間情報取得に基づいて、録画開始時間が来たとき、又は録画開始時間の５分前等の所定の時間前に、送信するようにしてもよい。
【００７３】
今回は映像記録装置１２０２が１つの場合について説明を行ったが、２つ以上の映像記録装置１２０２があっても構わない。
また伝送路１１０４としては、ＬＡＮやモデムケーブルやＩＥＥＥなどの有線のみならず、無線ＬＡＮでも構わない。更に通信プロトコルについてもどのような形態でも構わない。
【００７４】
実施の形態５によれば、記録対象のドライブを任意で選択できるため、光ディスク１００が読み取り専用ディスクの場合であっても、光ディスクの交換が不要であり視聴者の手間が省け自由度が高い録画予約設定を行うことができる。また、映像再生装置１２０１が録画機能及び録画予約設定機能を持たなくても、番組録画設定を行うことができる。一方、映像記録装置１２０２にとっては、光ディスク１００から録画予約コマンドを読み取る機能を持たなくても、録画予約設定を行うことができる。
【００７５】
実施の形態６．
以上の実施の形態では、光ディスク１００が再生専用ディスクである場合について主として示したが、本実施の形態６では、１枚の光ディスク１００に再生専用領域と記録可能領域とを備える場合について説明する。なお、以下では実施の形態１に準じた形態について説明するが、他の実施の形態についても適用可能である。
【００７６】
図１６は、実施の形態６で使用する可搬性記録媒体の断面図を示す。図１６に示す通り実施の形態６で使用される可搬性記録媒体は片面２層式媒体１３００であり、光ピックアップの焦点位置を変化させることにより、記録面を切替え各記録面に対して情報の読み書きを行っている。片面２層式ＤＶＤディスク１３００において、第１の記録面１３０１は、実施の形態１で説明したデータ構造が記録されている再生専用領域を有する記録面であり、図示しない光ピックアップにより近い層として形成されている。第２の記録面１３０２はＤＶＤ−Ｒディスク、ＤＶＤ−ＲＷディスクに代表される記録可能領域を有する記録面であり、光ピックアップから遠い方の層として形成されている。また、第２の記録面１３０２には、録画予約設定を行った番組を録画するための記録可能領域として使用するものとする。
【００７７】
実施の形態６での録画予約設定動作について説明する。片面２層式ＤＶＤディスク１３００をＤＶＤ記録再生ドライブ部１１１に挿入すると、再生専用記録面である第１の記録面１３０１から実施の形態１に沿った形式でデータの読み出しを行う。その後、録画予約ボタン２０１の選択決定による録画予約設定（Ｓ４０５）までの処理工程は実施の形態１と同じであるため省略する。
【００７８】
ここで録画予約ボタン２０１を選択決定した時の録画予約設定動作を詳細に説明する。録画予約ボタン２０１が選択決定された時、システム制御部１１０は再生制御情報取得部１３４に保持されているハイライト情報３００を参照し、当該録画予約ボタン２０１に設定されているボタンコマンド３２３の情報を取得する。次にシステム制御部１１０は当該ボタンコマンド３２３のコマンド種別３３１に「予約設定コマンド」を特定するビット列がアサインされていれば、録画予約設定のボタンコマンド３２３と判定し、コマンド引数３３２に設定されている番組属性情報を予約情報記録部１３６に蓄積することにより、映像記録再生装置の録画予約設定を行う。ここでシステム制御部１１０は、録画予約設定後に記録可能なディスクへの入替えを行わなくても済むように、可搬性記録媒体の書き込み可能な第２の記録面１３０２に光ピックアップの焦点位置を合わせ、当該第２の記録面１３０２に対して番組録画を行うよう設定する。その結果、ディスク入替えの操作を回避できるため、視聴者にとって手間が削減できるようにシステム構築を行うことができる。更にシステム制御部１１０は、録画予約設定を行った番組の記録時間と記録可能な容量の情報を取得することが可能なため、最適な録画レートで記録することができる。その後は前述した録画予約設定と同じく番組記録待機状態となる。
【００７９】
録画予約設定を行う際に、記録画質を決定する記録レートを設定するユーザインターフェースを提供しても良いことについては、実施の形態１と同様であるが、この場合、システム制御部１１０は、録画予約設定を行った番組の記録容量情報と記録可能な容量情報を取得することが可能なため、最適な記録レートでディスクへ番組予約を行うことができる。更にディスクの記録可能容量が不足しているかを見分けることが可能であるため、番組の後半が録画できないといった問題を未然に防ぐことができる。
【００８０】
今回は第１の記録面１３０１には再生専用記録面とし、第２の記録面１３０２には記録可能な記録面の片面２層式ＤＶＤディスク１３００として説明を行ったが、逆に第１の記録面１３０１に記録可能な記録面を設定し、第２の記録面１３０２に再生専用記録面を設定しても良い。ただし、記録面の反射効率を考慮すると、第１の記録面１３０１は再生専用記録領域とし、第２の記録面１３０２は記録可能領域とした方がよい。更に、片面２層式ＤＶＤディスク１３００の記録面の両方が記録可能でも構わない。
【００８１】
なお、片面２層式ＤＶＤディスク１３００が予約専用ディスクであって、かつ記録可能領域をも有していることを示す識別子をコンピュータデータ領域１５１１や管理情報１５２０に持たせても良い。これにより、汎用ディスクが再生制御情報領域内に本発明に係る予約設定コマンドのコードと同じビット情報を持っている場合でも、予約専用ディスクと誤って認識され、意図しない録画予約設定が行われないように保護することができるとともに、確実に、片面２層式ＤＶＤディスク１３００からの番組属性情報の読み出し及び当該番組の録画を行うことができる。
【００８２】
本実施の形態６では、再生専用領域と記録可能領域とを備える光ディスクが片面２層式ＤＶＤディスク１３００である場合を示したが、図１７に示すように、１層式光ディスク１４００上に、番組に関連する符号化圧縮映像情報と予約設定コマンドと番組属性情報とを保持する再生専用領域１４０１と、録画予約設定を行った番組の録画を行うことが可能な記録可能領域１４０２とを備えるものであってもよい。図１７には、光ディスク１４００の内周側に再生専用領域１４０１を、外周側に記録可能領域１４０２を配置する場合を示したが、逆に、外周側に再生専用領域１４０１を、内周側に記録可能領域１４０２を配置してもよい。更に、再生専用領域１４０１と記録可能領域１４０２とを混在させた構成、例えば、複数の番組に関連するプログラムチェーンがある場合、プログラムチェーンとプログラムチェーンとの間にそのプログラムチェーンに対応する番組の録画が可能となるように記録可能領域１４０２を設けるようにしてもよい。
【００８３】
実施の形態６によれば、録画予約設定した後に記録可能なディスクへの交換が不要であり、ディスク入替えに関する手間を省いたり、録画予約設定後の録画用ディスクの入れ忘れによる録画失敗を避けることができる。また録画予約設定時に番組予約を行った記録容量とディスクの記録可能容量があらかじめわかっているので、最適な録画レートで記録を行うことができる。更にディスクの記録可能容量が不足しているかを見分けることが可能であるため、番組の後半が録画できないといった問題を未然に防ぐことができる。
【００８４】
以上の実施の形態では、放送される番組がテレビジョン放送である場合を主として示したが、ラジオ放送であっても同様に適用することができる。この場合、当該可搬性記録媒体には、予告映像情報の代わりに、ラジオ番組に関連した符号化圧縮音声情報（即ち、予告音声情報）を記録しておけばよい。
【００８５】
また、光ディスクにあらかじめ収録されている関連映像がＤＶＤ−Ｖｉｄｅｏ規格に準拠して記録されているものとして説明を行った。この場合には、現行フォーマットからは変更内容が最小であるため、現行の映像再生装置による再生互換性が高いという利点がある。ただし、他の規格による方式で記録されていても構わない。また、可搬性記録媒体としても、ＤＶＤ−ＲＯＭ形式、ＤＶＤ−ＲＷ形式、ＤＶＤ−Ｒ形式、ＤＶＤ以外の他の形式の光ディスクを使用しても構わない。
【００８６】
【発明の効果】
本発明によれば、予約設定コマンドの実行により、確実、かつ、簡便な録画予約又は録音予約の設定が可能となる。また、番組内容を映像又は音声で確認しながら、番組の録画又は録音の予約設定を行うことができるので、番組内容を十分に吟味した予約設定を行うことができる。
【図面の簡単な説明】
【図１】光ディスクの外観図と内部ファイルデータ構造を示す図である。
【図２】実施の形態１における画面表示の一例である。
【図３】実施の形態１におけるボタン情報に関するデータ構造である。
【図４】実施の形態１における映像記録再生装置の構成を示すブロック図である。
【図５】実施の形態１における録画予約設定のフローチャートである。
【図６】本発明の光ディスクを用いた販売システムの構成を示す概略図である。
【図７】実施の形態２における画面表示の一例である。
【図８】実施の形態２におけるコマンドに関するデータ構造である。
【図９】実施の形態２における録画予約設定のフローチャートである。
【図１０】実施の形態３におけるボタンに関するデータ構造である。
【図１１】実施の形態３における録画予約情報のデータ構造の一例である。
【図１２】実施の形態３における録画予約設定のフローチャートである。
【図１３】実施の形態４における映像記録再生装置の構成を示すブロック図である。
【図１４】実施の形態５における映像再生装置の構成を示すブロック図である。
【図１５】実施の形態５におけるシステム構成図である。
【図１６】実施の形態６における可搬性記録媒体の断面図である。
【図１７】実施の形態６における可搬性記録媒体の別の一例である。
【符号の説明】
１００  光ディスク、１１０  システム制御部、１１１  ＤＶＤ記録再生ドライブ部、１２１  操作部、１２２  時計部、１３０  ＴＶチューナ、１３１  映像記録処理部、１３２  記録再生インターフェース部、１３３  映像再生処理部、１３４  再生制御情報取得部、１３５  映像表示部、１３６  予約情報記録部、１３７  予約コマンド解析部、２００  映像表示情報、２０１  録画予約ボタン、３００  ハイライト情報、３０１  ハイライト一般情報、３０２  ボタンカラー情報テーブル、３０３  ボタン情報テーブル、３１１  ボタン情報＃１、３１２  ボタン情報＃Ｎ、３２１  ボタン位置情報、３２２  隣接ボタン位置情報、３２３  ボタンコマンド、３３１  コマンド種別、３３２  コマンド引数、５００  録画予約設定ボタン、５０１  録画予約非設定ボタン、６００  プログラムチェーン情報テーブル、６０１  プログラムチェーン管理情報、６０２  プログラムチェーン＃１のサーチポインタ、６０３  プログラムチェーン＃Ｎのサーチポインタ、６０４  プログラムチェーン情報＃１、６０５  プログラムチェーン情報＃Ｎ、６１１  プログラムチェーン一般情報、６１２  プログラムチェーンコマンドテーブル、６１３  セル再生情報、６２１  プレコマンド、６２２  ポストコマンド、６２３  セルコマンド、６３１  コマンド種別、６３２  コマンド引数、８００  識別番号、９００  録画予約情報テーブル、９０１  番組属性情報＃１、９０２  番組属性情報＃Ｎ、９１１  番組名情報、９１２  予約開始時間情報、９１３  予約終了時間情報、９１４  チャンネル情報、９１５  ジャンル情報、９１６  番組内容情報、１１０１  大容量記録再生ドライブ部、１１０２  スイッチャ部、１１０３  通信部、１１０４  伝送路、１１０５  ＤＶＤ再生ドライブ部、１１０６  再生インターフェース部、１２０１  映像再生装置、１２０２  映像記録装置、１３００  片面２層式ＤＶＤディスク、１３０１第１の記録面、１３０２  第２の記録面、１４００  １層式ＤＶＤディスク、１４０１  再生専用領域、１４０２  記録可能領域、１５１０  ビデオデータ領域、１５１１  コンピュータデータ領域、１５２０  管理情報、１５２１  パック情報、１５３０  ナビゲーション情報、１５３１  映像情報。
【図１】
2005027146.tif 000003
【図２】
2005027146.tif 000004
【図３】
2005027146.tif 000005
【図４】
2005027146.tif 000006
【図５】
2005027146.tif 000007
【図６】
2005027146.tif 000008
【図７】
2005027146.tif 000009
【図８】
2005027146.tif 000010
【図９】
2005027146.tif 000011
【図１０】
2005027146.tif 000012
【図１１】
2005027146.tif 000013
【図１２】
2005027146.tif 000014
【図１３】
2005027146.tif 000015
【図１４】
2005027146.tif 000016
【図１５】
2005027146.tif 000017
【図１６】
2005027146.tif 000018
【図１７】
2005027146.tif 000019